(57)【要約】      （修正有）【課題】小さい曲率半径で、かつ情報を処理するための電子アセンブリを形成する身体の一部の周りに巻きつけることができる可撓性携帯用電子デバイスを提供する。【解決手段】可撓性携帯用電子デバイス１は身体の一部に固定できるよう配設される可撓性本体２、この可撓性本体２は下側可撓性バンド４及び上側可撓性バンド６、また上記可撓性携帯用電子デバイス１は情報を処理するための電子アセンブリ８は平坦な表面を有する少なくとも１つの第１の電子構成部品を含み、上記第１の電子構成部品は可撓性本体２の上側可撓性バンド６と下側可撓性バンド４との間に格納され、上記可撓性携帯用電子デバイス１は、第１の電子構成部品２２がその表面の一部分のみにおいて、上側可撓性バンド６又は下側可撓性バンド４の一方に対して機械的に保持される。【選択図】図２
2014120175.tif 000002
【特許請求の範囲】
【請求項１】
情報を生成できる可撓性携帯用電子デバイスであって、
前記可撓性携帯用電子デバイス（１）はユーザの身体の一部に固定できるよう配設される可撓性本体（２）を含み、
前記可撓性本体（２）は下側可撓性バンド（４）及び上側可撓性バンド（６）を含み、
また前記可撓性携帯用電子デバイス（１）は情報を処理するための電子アセンブリ（８）を含み、
前記情報を処理するための電子アセンブリ（８）は実質的に平坦な表面を有する少なくとも１つの第１の電子構成部品を含み、
前記第１の電子構成部品は前記可撓性本体（２）の前記下側可撓性バンド（４）と前記上側可撓性バンド（６）との間に格納され、
前記可撓性携帯用電子デバイス（１）は前記第１の電子構成部品がその表面の一部分のみにおいて、前記上側可撓性バンド（６）又は前記下側可撓性バンド（４）の一方に対して、前記可撓性携帯用電子デバイス（１）の長手方向対称軸を横断するように機械的に保持されることを特徴とする、可撓性携帯用電子デバイス。
【請求項２】
前記第１の電子構成部品は、その表面の一部分のみにおいて前記上側可撓性バンド（６）に固定される太陽電池（２２）であることを特徴とする、請求項１に記載の可撓性携帯用電子デバイス。
【請求項３】
前記情報を処理するための電子アセンブリ（８）は、実質的に平坦な表面を有する第２の電子構成部品（１６）を含み、
前記第２の電子構成部品（１６）は実質的に第３の電子構成部品（１４）の下側に配設され、
また前記第２の電子構成部品（１６）はその表面の一部分のみにおいて、前記第１の電子構成部品（１４）に対して機械的に保持される
ことを特徴とする、請求項１又は２に記載の可撓性携帯用電子デバイス。
【請求項４】
前記第２の電子構成部品は可撓性プリント回路（１６）であること、及び
前記第３の電子構成部品は表示デバイス（１２）の下側に配設された光導体（１４）であること
を特徴とする、請求項３に記載の可撓性携帯用電子デバイス。
【請求項５】
前記情報を処理するための電子アセンブリ（８）は、前記可撓性プリント回路（１６）の下側に配設されかつその表面の一部分のみにおいて前記可撓性プリント回路（１６）に固定される、充電式アキュムレータ（１８）を含むことを特徴とする、請求項４に記載の可撓性携帯用電子デバイス。
【請求項６】
前記第２の電子構成部品は、前記第１の電子構成部品の延長部分に配設され、
また前記第２の構成部品は、弾性電気的コネクタを用いて前記第１の電子構成部品に接続される
ことを特徴とする、請求項２〜５のいずれか１項に記載の可撓性携帯用電子デバイス。
【請求項７】
情報を生成できる可撓性携帯用電子デバイスであって、
前記可撓性携帯用電子デバイス（１）はユーザの身体の一部に固定できるよう配設される可撓性本体（２）を含み、
前記可撓性本体（２）は下側可撓性バンド（４）及び上側可撓性バンド（６）を含み、
また前記可撓性携帯用電子デバイス（１）は情報を処理するための電子アセンブリ（８）を含み、
前記情報を処理するための電子アセンブリ（８）は実質的に平坦な表面を有する少なくとも１つの第２の電子構成部品（１６）を含み、
前記第２の電子構成部品は前記可撓性本体（２）の前記下側可撓性バンド（４）と前記上側可撓性バンド（６）との間に格納され、
前記第２の電子構成部品（１６）は第３の電子構成部品（１４）の実質的に下側に配設され、
前記可撓性携帯用電子デバイス（１）は、前記第２の電子構成部品（１６）がその表面の一部分のみにおいて、前記第３の電子構成部品（１４）に対して機械的に保持されることを特徴とする、可撓性携帯用電子デバイス。
【請求項８】
前記第２の電子構成部品は可撓性プリント回路（１６）であること、及び
前記第３の電子構成部品は表示デバイス（１２）の下側に配設された光導体（１４）であること
を特徴とする、請求項７に記載の可撓性携帯用電子デバイス。
【請求項９】
前記情報を処理するための電子アセンブリ（８）は、前記可撓性プリント回路（１６）の下側に配設されかつその表面の一部分のみにおいて前記可撓性プリント回路（１６）に固定される、充電式アキュムレータ（１８）を含むことを特徴とする、請求項８に記載の可撓性携帯用電子デバイス。
【請求項１０】
前記第２の電子構成部品は、実質的に平坦な表面を有する第１の電子構成部品の延長部分に配設され、
前記第１の電子構成部品は、前記可撓性本体（２）の前記下側可撓性バンド（４）と前記上側可撓性バンド（６）との間に格納され、
前記可撓性携帯用電子デバイス（１）は、前記第１の電子構成部品がその表面の一部分のみにおいて、前記下側可撓性バンド（４）（６）及び前記上側可撓性バンドの一方に対して、前記可撓性携帯用電子デバイス（１）の長手方向対称軸を横断するように機械的に保持され、
また前記第２の構成部品は、弾性電気的コネクタを用いて前記第１の電子構成部品に接続される
ことを特徴とする、請求項７〜９のいずれか１項に記載の可撓性携帯用電子デバイス。
【発明の詳細な説明】
【技術分野】
【０００１】
本発明は、手首等ユーザの身体の一部の周りに装着するよう構成された可撓性携帯用電子デバイスに関する。
【背景技術】
【０００２】
スマートカード等の携帯用電子デバイスが公知である。これらのスマートカードは通常、少なくとも情報を生成できる電子アセンブリを含む。電子アセンブリは複数の構成部品から形成され、これら構成部品はスマートカードの平面内で互いに隣接して配設され、スマートカードにある形状及び高い機械的耐性をもたらすプラスチック材料に埋め込まれている。殆どの場合、これらスマートカードは薄く、通常の使用条件において大きな屈曲角度にさらされることがないものと考えられている。従って、スマートカードの本体に封入された電子構成部品は、殆ど変形しないか又は全く変形せず、構成部品とスマートカードを形成するプラスチック材料との間の接続の均質性に関するリスクは存在しない。
【０００３】
例えばユーザの手首に巻き付けるために可撓性携帯用電子デバイスが大きな屈曲角度にさらされることになる場合には、状況は大きく異なる。このような可撓性携帯用電子デバイス、例えば腕時計は、情報を生成し、必要に応じて表示もするための電子アセンブリを含み、この電子アセンブリは液晶表示デバイス等の情報表示デバイス、携帯用電子デバイスの適切な動作に必要な集積及び個別構成部品を支持する可撓性プリント回路、及び電力バッテリで形成される。これら様々な電子構成部品は一般に、幅広かつ平坦な要素の形態を取り、他の構成要素の上に重ねて配設される。これらはエラストマ等の可塑性材料でオーバー成形され、これによって携帯用電子デバイスに厚さ及び機械的耐性が付与される。
【０００４】
携帯用電子デバイスを巻き付ける際、情報を処理するための電子アセンブリの形態の様々な電子構成部品の曲率半径は、複数の構成部品の積層体内の各構成部品の配置に応じて変化することは明らかである。曲率半径が小さくなると、対応する構成部品の巻き付け角度は大きくなる。従って、構成部品の配置及び長さによって異なる巻き付け長さが観察され得る。しかしながら、様々な電子構成部品が例えばその全表面にわたって接着されている場合、このような長さの違いを電子構成部品の弾性によって補償しなければならず、また接着は高い剪断応力に耐えるものでなければならない。電子構成部品の弾性が不十分である場合又は接着がこのような応力に耐えられない場合、携帯用電子デバイスは、デバイスの破壊につながるねじれ又は層間剥離を起こしやすい。
【発明の概要】
【発明が解決しようとする課題】
【０００５】
本発明の目的は、極めて小さい曲率半径で、かつ情報を処理するための電子アセンブリを形成する電子構成部品のねじれ又は層間剥離のいかなるリスクもなく、ユーザの身体の一部の周りに巻き付けることができる可撓性携帯用電子デバイスを提供することによって、上述の及びその他の欠点を克服することである。
【課題を解決するための手段】
【０００６】
従って本発明は、情報を生成できる可撓性携帯用電子デバイスに関し、上記可撓性携帯用電子デバイスはユーザの身体の一部に固定できるよう配設される可撓性本体を含み、この可撓性本体は下側可撓性バンド及び上側可撓性バンドを含み、また上記可撓性携帯用電子デバイスは情報を処理するための電子アセンブリを含み、この情報を処理するための電子アセンブリは実質的に平坦な表面を有する少なくとも１つの第１の電子構成部品を含み、上記第１の電子構成部品は可撓性本体の下側可撓性バンドと上側可撓性バンドとの間に格納され、上記可撓性携帯用電子デバイスは、上記第１の電子構成部品がその表面の一部分のみにおいて、上側又は下側可撓性バンドの一方に対して機械的に保持されることを特徴とする。
【０００７】
本発明の補足的な特徴によると、情報を処理するための電子アセンブリは実質的に平坦な表面を有する第２の電子構成部品を含み、この第２の電子構成部品は実質的に第１の電子構成部品の下側に配設され、またこの第２の構成部品はその表面の一部分のみにおいて、第１の電子構成部品に対して機械的に保持される。
【０００８】
本発明の別の特徴によると、情報を処理するための電子アセンブリは実質的に平坦な表面を有する第２の電子構成部品を含み、この第２の構成部品は実質的に第１の電子構成部品の延長部分に配設され、またこの第２の構成部品は、弾性コネクタを用いて第１の電子構成部品に接続される。
【０００９】
これらの特徴により、本発明は可撓性携帯用電子デバイスを提供し、ここで情報を処理するための電子構成部品は、上記構成部品の表面の一部のみにおいて、互いに対して又は可撓性本体の上側若しくは下側可撓性バンドに対して機械的に保持される。従って、情報を処理するための電子構成部品は、本発明の可撓性携帯用電子デバイスを形成する可塑性材料にほぼ接続されないか又は接続されず、これによってねじれ又は層間剥離のリスクを無視できる。更に、情報を処理するための電子構成部品はその弾性変形性能を維持しており、これによってこれら電子構成部品は互いに対して摺動でき、並びにその巻き付け角度を増大させることができ、及び携帯用電子デバイスの屈曲による応力を吸収できる。
【００１０】
本発明の他の特徴及び利点は、本発明による可撓性携帯用電子デバイスの１つの実施形態に関する以下の詳細な説明からより明らかになるであろう。この例は、添付の図面を参照して単なる非限定的な例として挙げたものである。
【図面の簡単な説明】
【００１１】
【図１】図１は、静止位置にある本発明による可撓性携帯用電子デバイスの、長手方向断面図である。
【図２】図２は、屈曲位置にある可撓性携帯用電子デバイスを示す、図１と同様の図である。
【発明を実施するための形態】
【００１２】
本発明は、可撓性携帯用電子デバイスを提供することからなる一般的発明概念に由来し、ここで、情報を処理するための電子構成部品は、上記構成部品の表面の一部分のみを介して、互いに対して又は携帯用電子デバイスの可撓性本体の可撓性バンドのうちの１つに対して機械的に保持される。携帯用電子デバイスを屈曲させて例えばユーザの手首の輪郭に適合させる場合、電子構成部品はその弾性変形性能、及び互いに対する摺動運動において巻き付き角度を増大させる能力を維持する。実際、電子構成部品を互いに対して又は携帯用電子デバイスの可撓性本体に対して機械的に保持する表面は小さく、これにより、電子構成部品と可撓性本体を形成する可塑性材料との間の均質な接続に対するリスクは存在せず、電子構成部品のねじれ又は層間剥離のリスクは事実上完全に排除される。
【００１３】
本発明によると、「機械的保持」とは特に、第１の電子構成部品の表面の一部分のみにおける、第２の電子構成部品に対する、又は本発明の可撓性携帯用電子デバイスの可撓性本体の可撓性バンドのうちの１つに対する、接着剤による接着を意味する。本発明の範囲内では、例えば溶接、特に熱溶着等のその他の固定技術も想定できる。また、フックを用いて、２つの電子構成部品を互いに対して又は可撓性本体の可撓性バンドのうちの１つに対して機械的に保持することも想定できる。
【００１４】
本特許出願に添付された図１、２は、本発明の可撓性携帯用電子デバイスの長手方向断面図であり、それぞれ静止位置にある場合と、例えば手首等ユーザの身体の一部の輪郭に適合させるための屈曲位置にある場合とを示す。
【００１５】
全体を通して一般参照符号１で示す本発明による携帯用電子デバイスは、可撓性である。携帯用電子デバイス１は可撓性本体２を含み、これは実質的にはバンド又はブレスレットの形状を有し、下側可撓性バンド４及び上側可撓性バンド６で形成される。下側可撓性バンド４はエラストマ等のいずれの可塑性材料から作製できる。上側可撓性バンド６は下側可撓性バンド４に固定された不浸透性可塑性フィルムの形態を取る。上側可撓性バンド６は、接着又は熱溶着等のいずれの適切な手段で下側可撓性バンド４に固定してよい。
【００１６】
携帯用電子デバイス１の機能は、少なくとも情報を処理できることであり、好ましい実施例では情報を処理及び表示できることである。よって携帯用電子デバイス１は、情報を処理するための電子アセンブリ８を含み、これは上側可撓性バンド６の、下側可撓性バンド４が固定される側に設置される。この目的のために、下側可撓性バンド４はその全長のうちの１点において、情報の生成及び表示のための電子アセンブリ８が配設されたハウジング１０を有する。
【００１７】
図示した実施例では、情報の生成及び表示のための電子アセンブリ８は電子構成部品の積層体を含み、第１の電子構成部品は液晶セル等の表示デバイス１２であり、その下側には表示デバイス１２のバックライトとして機能する光導体１４が配設される。このアセンブリは、特にタイムベース等、携帯用電子デバイス１の適切な動作に必要な様々な集積及び個別構成部品（図示せず）が設置された可撓性プリント回路１６を備える。光導体１４の下側に配設される可撓性プリント回路１６は、表示デバイス１２、光導体１４及び充電式アキュムレータ１８に、複数のコネクタ２０を用いて接続される。可撓性プリント回路１６の下側においてハウジング１０の底部に配設される充電式アキュムレータ１８は、少なくとも１つの太陽電池２２で給電され、この太陽電池２２は有利にはブレスレットのストランド２４のうちの１つに格納される。
【００１８】
以下の説明では、機械的保持領域を図１において円で囲まれた縦線付き領域で示していることに留意されたい。
【００１９】
情報の生成及び表示のための電子アセンブリ８は、以下のように組み立てられる。まず液晶表示セル１２をその上側表面２６全体にわたって、光学的に透明な接着剤即ち「ＯＣＡ」を用いて、上側可撓性バンド６の下側表面に対して接着する。表示品質のために、液晶表示セル１２の上側表面２６が、これを覆う上側可撓性バンド６と密に接着していなければならないことは明らかであろう。
【００２０】
本発明によると、続く組み立てステップは、プリント回路１６の表面の一部分のみを光導体１４の背面に接着することである。図において縦線を付けた接着領域は、図において円で囲まれ、文字Ａで表されている。可撓性プリント回路１６が実質的に平坦な表面を有するほぼ矩形の電子構成部品であるとすると、可撓性プリント回路１６は、その表面のうち一方のみにおいて、ブレスレットの長手方向対称軸を横断するように接着されることは明らかであろう。その結果、携帯用電子デバイス１を例えばユーザの手首に適合させるために屈曲させる際、光導体１４に対して摺動運動させることにより、可撓性プリント回路１６を弾性変形させてその巻き付き角度を変更することができる。
【００２１】
同様に、充電式アキュムレータ１８を、その表面の一部分のみにおいて、可撓性プリント回路１６の背面に対して接着する。図において縦線を付けた接着領域は、図において円で囲まれ、文字Ｂで表されている。可撓性プリント回路１６を参照して上述したように、充電式アキュムレータ１８がほぼ矩形の平坦な電子構成部品である場合、図示した実施例から、充電式アキュムレータ１８はその片側のみにおいて、ブレスレットの長手方向対称軸を横断するように接着されることがわかる。充電式アキュムレータ１８はその表面のごく一部のみで接着されるため、携帯用電子デバイス１を例えばユーザの手首の周りに巻き付ける際、プリント回路１６に対して摺動運動させることにより、充電式アキュムレータ１８を弾性変形させてその巻き付き角度を偏向することができる。より具体的には、図２は充電式アキュムレータ１８の１つの端部を示し、これは携帯用電子デバイス１の静止位置において可撓性プリント回路１６と位置合わせされており、携帯用電子デバイス１の屈曲位置において光導体１４の端部に対して長さｄ１だけ移動する。
【００２２】
最後に、太陽電池２２を上側可撓性バンド６の下側表面に局所的に接着する。図において縦線を付けた接着領域は、図において円で囲まれ、文字Ｃで表されている。図示した実施例から、太陽電池２２は、その片側のみにおいて、携帯用電子デバイス１の長手方向対称軸を横断するように接着される、ほぼ矩形の実質的に平坦な電子構成部品であることがわかる。その結果、携帯用電子デバイス１を例えばユーザの手首に適合させるために屈曲させる際、太陽電池２２と携帯用電子デバイス１を形成する材料との間の接続の完全性に対するリスクは存在しない。対照的に、携帯用電子デバイス１を屈曲させる際、太陽電池２２を自由に弾性変形させて、その巻き付き弧部を長さｄ２だけ変更することができる。
【００２３】
最後に、図示した実施例から、太陽電池２２及び可撓性プリント回路１６は、携帯用電子デバイス１の長手方向に順次配設され、太陽電池２２は可撓性プリント回路１６よりも若干高い位置に配設されることがわかる。携帯用電子デバイス１を屈曲させて例えばユーザの身体の一部に固定する際、太陽電池２２と可撓性プリント回路１６との間の弧の長さの変動を考慮するために、太陽電池２２及び可撓性プリント回路１６を、弾性を有する電気的コネクタ２８によって互いに接続する。携帯用電子デバイス１を屈曲させる際、電気的コネクタ２８は弾性変形によって、可撓性プリント回路１６及び太陽電池２２の弧の長さの変動を吸収する。
【００２４】
本発明は上述の実施形態に制限されるものではないこと、並びに添付の請求項で定義する本発明の範囲から逸脱しない限りにおいて、当業者は様々な単純な改変及び変形を想定できることは言うまでもない。特に本発明によると、機械的保持を典型的には接着、溶接若しくは熱溶着による、又はクリップ型のフックを用いた固定によって達成できる。
【符号の説明】
【００２５】
１    携帯用電子デバイス
２    可撓性本体
４    下側可撓性バンド
６    上側可撓性バンド
８    電子アセンブリ
１０  ハウジング
１２  表示デバイス
１４  光導体
１６  可撓性プリント回路
１８  充電式アキュムレータ
２０  コネクタ
２２  太陽電池
２４  ストランド
２６  １２の上側表面
２８  電気的コネクタ
【図１】
2014120175.tif 000003
【図２】
2014120175.tif 000004